(57)【要約】【課題】デコレーションケーキなどを水平状態に保持して持ち運びができる手提げ袋であって、出し入れ作業性に優れ、しかも保冷性または断熱性を備え、構造が簡単で、製造コストがやすい持帰り用手提げ袋を提案する。【解決手段】  袋４が熱可塑性樹脂発泡体によるシート体の表面にアルミ蒸着膜をコーテイングしたシート材もしくは上記発泡シートの表面にプラスチックフィルムをコーテイングした積層構造のシート材より構成され、その袋の開口部に、該開口部と連続する折り返し蓋となる舌片または再封ファスナーを具備するとともに、前記袋の一側部と他側部のほぼ中間位置に、袋体を水平に保持するためブリッジ状の手提げ部９を設けて構成されている。【選択図】  図２
0003128685.tif 000002
【実用新案登録請求の範囲】
【請求項１】
少なくとも一辺が出入り口となるように開口されている扁平の袋体であり、その袋全体が熱可塑性樹脂発泡体によるシート体の表面にアルミ蒸着膜をコーテイングしたシート材もしくは上記発泡シートの表面にプラスチックフィルムをコーテイングした積層構造のシート材より構成され、その袋の開口部に、該開口部と連続する折り返し蓋となる舌片または再封ファスナーを具備するとともに、前記袋の一側部と他側部のほぼ中間位置に、袋体を水平に保持するための手提げ部を設けて構成されていることを特徴とする手提げ袋。
【請求項２】
請求項１に記載の袋体において、袋体の上面部または底部の少なくとも一方に排気・排水用小口を設けて、収納した食品からの蒸気またはドリップを外部に逃がすようにしたことを特徴とする手提げ袋。
【請求項３】
請求項１または２に記載の袋体において、該袋の開口部に設ける折り返し蓋となる舌片が、袋体を水平に保持するための手提げ部を兼ねていることを特徴とする手提げ袋。
【考案の詳細な説明】
【技術分野】
【０００１】
本考案はデコレーションケーキ又はピザ等の保冷又は保温を要する食品類の持帰り用手提げ袋に関する。
【背景技術】
【０００２】
従来より、デコレーションケーキやピザ等をテイクアウトして自宅やオフィスに持ちかえる場合、このケーキやピザを厚紙や段ボールより形成した収納箱に収納した後、これを手提げ袋に入れ、手提げ袋によって持ち運ぶことが行われている。この場合、特にデコレーションケーキはケーキの上面に苺などの飾り物がトッピングされていることが多い。そのため、運搬中にケーキやピザは移動して形が崩れたりトッピングがずれたりしないように、水平状態にして手提げ袋に入れ、この手提げ袋によって持ち運ぶことが行われていた。
【０００３】
持ち運びに使用する手提げ袋としては、図６に示すような角底袋の口部にさげ手をつけた紙製または樹脂を素材する両側面にマチをもつショッピングバッグが主に使用されている。一方、下記特許文献１に示されているように物を水平状態で持ち運びやすくした手提げ袋として、袋体にこれを水平に保持するための帯状等の手提げ部を設けたものが知られている。
【０００４】
しかし、従来使用されてきた角底袋やショッピングバッグは、いずれも縦角型の形態であるから袋体の開口部よりケーキ収納箱やピザ収納箱を水平状態に出し入れするとき、入れにくく、出しずらい。また従来の手提げ袋は断熱性または保冷性が欠けていたので、アイスクリーム等の冷菓の保冷のためのドライアイスのモチが悪く、持ち運び過程でアイスクリーム等が溶けだすことがあり、一方、焼き立てのピザは冷めて風味が落ちるなど欠点が指摘されている。  また、特許文献1の手提げ袋は、袋素材が紙製、またはプラスチックフイルム単体であったので、食品保冷性または断熱性が充分でなかった。そして使用中袋の口部が開いたりして密閉性が十分でなく、不衛生で食品運搬容器として不適であり、袋の開口部を閉じると食品から出る湿気の処理または袋内の食品から滲み出たドリップ（汁）などの処理が困難であった。
【特許文献１】実開昭５７―３６２９号公報
【考案の開示】
【考案が解決しようとする課題】
【０００５】
そこで、本考案は、例えばデコレーションケーキ又はピザ等の保冷又は保温食品類を水平状態に保持して持ち運びができる手提げ袋であって、出し入れ作業性に優れ、しかも保冷性または断熱性を備え、構造が簡単で、製造コストがやすいデコレーションケーキ又はピザ等の保冷又は保温食品類の持帰り用手提げ袋を提案する。
【課題を解決するための手段】
【０００６】
上記課題を解決するために、請求項1の考案は、少なくとも一辺が出入り口となるように開口されているほぼ扁平な袋体であり、その袋全体が熱可塑性樹脂発泡体によるシート体の表面にアルミ蒸着膜をコーテイングしたシート材より構成され、もしくは上記発泡シートの表面にプラスチックフィルムをコーテイングした積層構造のシート材より構成され、その袋の開口部に、該開口部と連続する折り返し蓋となる舌片または再封ファスナーを具備するとともに、前記袋の一側部と他側部のほぼ中間位置に、袋体を水平に保持するためブリッジ状の手提げ部を設けて構成されていることを特徴とする。
【０００７】
請求項２に記載の考案は、請求項１の袋体において、袋体の上面部または底部の少なくとも一方に排気・排水用小口を設けて、収納した食品からの蒸気またはドリップを外部に逃がすようにしたことを特徴とする。
【０００８】
請求項３に記載の考案は、請求項１または２に記載の袋の開口部に設ける折り返し蓋となる舌片が、袋体を水平に保持するための手提げ部を兼ねていることを特徴とする。
【考案の効果】
【０００９】
本考案による手提げ袋によれば、デコレーションケーキやピザ、おせち料理その他の食品類が入った嵩のある箱などを袋体の少なくとも一辺に設けた出入り用開口に対し、横から水平状態で出し入れするから、その作業は、従来使用されてきた角底袋やショッピングバッグを使用するよりも容易に、迅速に行うことができ、かつその開口部を折り返し蓋となる舌片または再封ファスナーで自由に閉じることができる。また、形崩れしたりトッピングがずれやすいケーキ食品類を水平状態に保持して安定よく持ち運びができる。本考案の袋全体が熱可塑性樹脂発泡体によるシート体の表面にアルミ蒸着膜をコーテイングしたシート材より構成され、もしくは上記発泡シートの表面にプラスチックフィルムをコーテイングした積層構造のシート材より構成されていることにより保冷性または断熱性を得られるので、デコレーションケーキ等の保冷を必要とする食品類やピザ等の保温を必要とする食品類をテイクアウトして自宅やオフィスに持ち帰るのに好適である。また、袋体の上面部または底部の少なくとも一方に排気排水用小口が形成されていることにより、袋に収納した食品からの蒸気またはドリップを外部に逃がすことができるので、食品の風味が損なわれることがすくなくなる。さらにまた、袋の開口部の設けた折り返し蓋となる舌片が袋の出入り口を閉じ、その袋を水平に保持するための手提げ部を兼ねているので、構造が簡単で部品が少なく、樹脂発泡体によるシート体を袋体に接合するだけ製作されるから、デコレーションケーキ又はピザ等の保冷又は保温食品類の持帰り用手提げ袋を安く簡単に製造することができる。
【考案を実施するための最良の形態】
【００１０】
次に本考案手提げ袋の実施の形態について図面を参照して説明する。  図１（携帯時の斜視図）、図２（展開状態を示す斜視図）は本考案の手提げ袋の一実施例を示す。この実施例の袋体は、袋体が扁平な平袋であり、かつ袋の開口部に設ける蓋となる舌片が、袋体を水平に保持するための手提げ部を兼ねている。しかし本考案はこれに限定されるものではない。
【００１１】
図において手提げ袋は全体が符号１で示されている。この実施形態の手提げ袋１は、上面シート２と、それよりも大きな下面シート３からなっている。図２に示すように、２と３の両シートを上下重ね合わせて、所要位置でヒートシール、高周波接着等の手段により接合して袋を形成するもので、この実施例では接合した上下両シートの中央部に少なくとも一辺が開口する袋体４が形成されている。そして、袋体４の開口部の延長には、その袋と重なり合って袋の開口部５を閉じることができる舌片６が形成されている。この舌片６がシート３の左右延長上に対称的にある場合は、図１のように袋の上面部で合掌するように重ね合わせて使用したとき、その袋の開口部を閉じる蓋となると同時に袋体を水平に保持するための手提げ部７を兼ねている。なおこの実施の形態では、符号４ａは接合部を示す。７ａは手提げ部７の指差込穴である。
【００１２】
袋体４の形状は平袋形状であってもよいが、これに限定されるものでなく、嵩のあるケーキ箱等Ｇを収納できるような大きさに形成され、少なくとも一辺にケーキ箱出入り用の開口部５を設ける。袋の側面にマチがあって、立方体になるものでもよい。マチ幅は自由に設定できる。なお袋体４は対向する両辺が開口した実質的にスリーブ形（筒）に形成し、開口部に設けた舌片６を折り返したときに袋の開口を閉じる構成のものでもよい。
【００１３】
袋体４の上面部または底部の少なくとも一方、場合によっては、袋の角部にも排気排水用小口８を形成する。また、袋の左右延長上に、袋の外側に延在する形態で、袋の提げ手を兼ねる左右一対の舌片６を一体に設ける。この提げ手を兼ねる舌片６は下面シート３と一体に裁断するのがよいが、別体として、後で貼り合わせてもよい。なお袋の開口部または舌片には、再封ファスナー（図略）を設けて開口を自由に閉じることが好ましい。
【００１４】
本考案の手提げ袋は、全体がポリエチレン、ポリプロピレン等のポリオレフィン系樹脂、ポリスチレン、ポリメチルスチレン等のポリスチレン系樹脂、スチレンとアクリル酸エチレンの共重合体やスチレンとブタジェンの共重合体等のスチレン系共重合体樹脂など、各種の熱可塑性樹脂を常法により発泡させた柔軟な熱可塑性樹脂発泡体によるシート体の表面にアルミ蒸着膜をコーテイングされたシート材より構成され、もしくは上記発泡シートの表面にプラスチックフィルムをコーテイングした積層構造のシート材より構成されている形成されている。なかでも、ポリエチレンの発泡シートに、アルミ蒸着膜がコーテイングされたポリエチレンフイルムを積層したものは、軽量性、柔軟性、保冷性等の観点から特に好ましい。これらシート材の厚さは０．５ｍｍ〜３．０ｍｍ程度が好適である。
【００１５】
ケーキ収納箱やピザ収納箱Ｇを袋体４に収納するときは、図２に示されているように、袋の提げ手となる左右一対の舌片６を寝かせた状態で、袋の出入り口である開口５より箱Ｇを袋の中に水平状態に入れる。その後、舌片６を折り返して袋体３の開口部５を閉じる。このとき舌片が手提げ部７を兼ねているときは、この部分を袋の上面部で合掌するように重ね合わせて把持して図１、図３に示されているように袋体を水平に保持するのである。したがって、ケーキ箱Ｇの出し入れは、従来使用されてきた角底袋やショッピングバッグを使用するよりも容易に、迅速に行うことができ、かつその開口部を折り返し蓋となる舌片または再封ファスナーで自由に閉じることができる。また、形崩れしたりトッピングがずれやすいケーキ食品類を水平状態に保持して安定よく持ち運びができる。
【００１６】
さらにこの手提げ袋は、発泡シートの表面にプラスチックフィルムをコーテイングした積層構造のシート材より構成されていることにより、持ち運び過程で保冷性または断熱性を得られるので、デコレーションケーキ等の保冷を必要とする食品類やピザ等の保温を必要とする食品類をテイクアウトして風味を落とすことなく自宅やオフィスに持ち帰ることができる。食品から出る湿気の処理または袋内の食品から滲み出たドリップ（汁）などは、袋体の上面部または底部の排気・排水用小口８を通じて外部に逃がすことができるものである。
【００１７】
図４、図５は本考案による手提げ袋の他の実施例を示す。なお、この実施例の袋体は、扁平な袋体４の上面部に、袋を水平に保持するための把持部として、袋４とは別体に形成した手提げひも９を設けている。なお図1の実施例に対応する部分は図１と同一の符号を付し、説明を省略する。
【図面の簡単な説明】
【００１８】
【図１】本考案手提げ袋の一例を示す携帯時の斜視図である。
【図２】図１の袋の展開状態を示す斜視図である。
【図３】図１の縦断面図である。
【図４】本考案の他の実施例を示す斜視図である。
【図５】同じく他の実施例を示す斜視図である。
【図６】ショッピングバッグの一例をしめす斜視図である。
【符号の説明】
【００１９】
1  手提げ袋  ２  上面シート  ３  下面シート  ４  袋体  ５  開口部  ６  舌片  
７  手提げ部  ８  排気排水用開口  ９  手提げひも
【図１】
0003128685.tif 000003
【図２】
0003128685.tif 000004
【図３】
0003128685.tif 000005
【図４】
0003128685.tif 000006
【図５】
0003128685.tif 000007
【図６】
0003128685.tif 000008